(57)【要約】【課題】吸血対象生物が発生する誘引物質を蚊の誘引手段として用いることにより、蚊の捕獲効率が良く、ランニングコストがかからず、製造容易で廉価であるとともに、場所を選ばず使用可能な蚊の捕獲装置を得る。【解決手段】蚊の吸血対象生物2を収容可能な内部室1の外周に、蚊の通過を困難とする通気手段4を設け、この通気手段4を介して吸血対象生物2が発生する誘引物質を外部に流出可能とする。通気手段4の外側に蚊取室5を配置し、この蚊取室5に、蚊の外部からの侵入を可能とするとともに外部への復帰を不能又は困難とする蚊取口6を設ける。【選択図】図１
2009183242.tif 000002
【特許請求の範囲】
【請求項１】
蚊の吸血対象生物を収容可能な内部室の外周に、蚊の通過を困難とする通気手段を設け、この通気手段を介して吸血対象生物が発生する誘引物質を外部に流出可能とするとともに、通気手段の外側に蚊を誘引して取り込むための蚊取室を配置し、この蚊取室に、蚊の外部からの侵入を可能とするとともに外部への復帰を不能又は困難とする蚊取口を設けたことを特徴とする蚊の捕獲装置。
【請求項２】
蚊取室は、内部室の外側に通気手段を介して複数個設けたことを特徴とする請求項１の蚊の捕獲装置。
【請求項３】
蚊取口は、内部方向を幅狭とする漏斗状に形成したことを特徴とする請求項１の蚊の捕獲装置。
【請求項４】
通気手段は、内部室側又は蚊取室側に開閉可能な遮閉体を設けて、蚊取室と内部室の連通を遮断可能としたことを特徴とする請求項１の蚊の捕獲装置。
【発明の詳細な説明】
【技術分野】
【０００１】
本発明は、人、動物等の蚊の吸血対象生物が発する誘引物質により蚊を誘引して捕獲するための蚊の捕獲装置に関するものである。
【背景技術】
【０００２】
従来、蚊を誘引して捕獲するための方法として、特許文献１に従来技術として示されている通り、おとり用の吸血対象生物を檻の中に入れておき、この吸血対象生物の血を吸いに来た蚊を、檻の外周に配置した粘着テープに粘着して捕獲するような方法が知られている。また、特許文献２〜４に示す如く、蚊取りランプの光や、炭酸ガスの臭いや、蚊の羽音に似た音波により蚊を誘引する装置が公知となっている。
【０００３】
【特許文献１】特開２００７−１３５５４８号公報
【特許文献２】実用新案登録第３１２２５５６号公報
【特許文献３】特開平８−１５４５５３号公報
【特許文献４】特開平５−１０３５７１号公報
【発明の開示】
【発明が解決しようとする課題】
【０００４】
しかしながら、特許文献１に従来技術として示されている装置に於いては、粘着シートの粘着力が経時的に劣化するため、粘着シートを定期的に取り替える必要が有り、ランニングコストが高くつき、非経済的であった。また、蚊が粘着シート部分に止まらなければ蚊を捕獲できず、蚊が吸血対象生物に到達してしまい、蚊の捕獲効率が悪いばかりでなく、おとり用の吸血対象生物が蚊に刺されて、蚊が媒介する病原菌に感染するおそれがあり、非衛生的であった。また、動物をおとりにしてその血を蚊に吸わせること自体が、動物愛護上好ましいものではなかった。また、上述の如く吸血対象生物が感染病の危険にさらされるため、ペットや家畜等の動物飼育に用いることができないものであった。
【０００５】
また、特許文献２〜４に於いては、光、炭酸ガス又は音波を継続的に発生させる必要があり、特許文献１に記載の装置と同様にランニングコストが高くつくものとなっていた。また、光、炭酸ガス又は音波の発生装置がそれぞれ必要となるため、装置自体の構造が複雑化し、製造工程が煩雑なものとなるとともに、製造コストも高くつくものとなっていた。また、特許文献２、４に於いては、光や音波を発生させるために装置を電源と接続しなければならないから、使用場所が限られていた。
【０００６】
そこで、本発明は上述の如き課題を解決しようとするものであって、蚊の捕獲効率が良く、ランニングコストがかからず、製造容易で廉価であるとともに、飼育動物にも被害を及ぼすことがなく場所を選ばず使用可能な製品を得ようとするものである。
【課題を解決するための手段】
【０００７】
本発明は、前述の如き従来技術の課題を解決するため、人、動物等の蚊の吸血対象生物を収容可能な内部室の外周に、蚊の通過を困難とする通気手段を設け、この通気手段を介して吸血対象生物が発生する誘引物質を外部に流出可能としている。そして、通気手段の外側に蚊を誘引して取り込むための蚊取室を配置し、この蚊取室に、蚊の外部からの侵入を可能とするとともに外部への復帰を不能又は困難とする蚊取口を設けている。
【０００８】
また、蚊取室は、内部室の外側に通気手段を介して複数個設けたものであっても良い。このように蚊取室を複数個形成することにより、蚊の捕獲効果を高めることが可能となる。
【０００９】
また、蚊取口は、内部方向を幅狭とする漏斗状に形成したものであっても良く、この場合には、簡易な方法で蚊取口を形成することが可能となる。
【００１０】
また、通気手段は、内部室側又は蚊取室側に開閉可能な遮閉体を設けて、蚊取室と内部室の連通を遮断可能としたものであっても良い。このように遮閉体を設けることにより、遮閉体を閉じて風雨の侵入を防止したり、遮閉体を適宜開閉して内部室内の温度調節をしたりすることが可能となり、蚊の捕獲装置をより使い勝手の良いものとすることが可能となる。
【発明の効果】
【００１１】
本発明は上述の如く、内部室内の吸血対象生物が発する臭い、ＣＯ２、赤外線等の誘引物質により蚊を誘引するものであり、誘引物質を発生させる装置を別個に設ける必要がない。そのため、装置の構造を簡易なものとして、廉価な製品を得ることが可能となる。また、従来公知例の如く誘引手段の定期的なメンテナンスも不要であるため、ランニングコストを低くすることができる。また、誘引物質を発生させるために電源等の動力源を必要としないから、場所を選ばず使用することが可能となる。
【００１２】
また、蚊取室と内部室とを蚊の通過を困難とする通気手段を介して接続しているため、内部室内の人、動物等の吸血対象生物が蚊に刺されるおそれがなく、装置の衛生的な使用が可能となる。このように、本願発明の蚊の捕獲装置を用いれば、内部室内の吸血対象生物が蚊に刺されるのを防止しつつ、ランニングコストを低くし、蚊を半永久的に捕獲することが可能となり、蚊の捕獲装置の効率的な使用が可能となる。また、ペットや家畜等の飼育動物を装置内で飼育しながら、蚊を捕獲することが可能となる。
【００１３】
また、蚊取口を、蚊の外部からの侵入が可能で外部への復帰を不能又は困難なものとしているため、蚊取口から取り込んだ蚊を蚊取室内に確実に捕獲しておくことができ、蚊の捕獲効率を高めることが可能となる。
【００１４】
また、蚊の中で吸血対象生物の血を吸うのは雌の蚊のみであることが知られており、本発明の捕獲装置に於いて、吸血対象生物が発生する誘引物質に誘引されて捕獲されるのは、雌の蚊のみである。そのため、薬剤散布の場合の如く雄雌に関係なく蚊を駆除してしまい、トンボ等の餌を奪って食物連鎖の遮断を生じるおそれがない。また、蚊だけを薬剤、電流等を用いることなく安全に捕獲できるため、小鳥等の小動物を誤って捕獲、殺傷するおそれもない。
【実施例１】
【００１５】
以下、本発明の実施例１を図１、図２に於いて説明すれば、(１)は蚊の吸血対象生物（２）を収容可能な内部室で、上端部に着脱可能な蓋体（３）を配置しており、この蓋体（３）を取り外した状態で、蚊の吸血対象生物（２）を内部室（１）に出し入れ可能としている。また、蓋体（３）を用いずに、内部室（１）の側面に出入用の扉（図示せず）を設けるものであっても良い。また、上記吸血対象生物（２）としては図１に示す如く、豚を用いており、内部室（１）には家畜用の小屋を用いている。また、他の吸血対象生物（２）としては、牛、羊等の家畜や、犬、猫、小鳥等のペットを用いることができ、他の内部室（１）としては、ペット小屋や鳥かごを用いることが可能である。
【００１６】
また、上記内部室（１）の外周に、蚊の通過を困難とする通気手段（４）を防虫用の金網を用いて形成し、この通気手段（４）を介して、内部室（１）内の吸血対象生物（２）が発する臭い、ＣＯ２、赤外線等の誘引物質を外部に流出可能としている。
【００１７】
また、上記通気手段（４）の外側に、蚊を誘引して取り込むための蚊取室（５）を配置し、この蚊取室（５）の外周面に、蚊の外部からの侵入を可能とするとともに外部への復帰を不能又は困難とする蚊取口（６）を多数設けている。この蚊取口（６）は、図２に示す如く、内部方向を幅狭とする漏斗状に形成し、外側の広口部（７）からの侵入は容易であるが、内側の狭口部（８）からの外部への復帰を困難なものとしており、このように形成することにより、蚊取口（６）を簡易な方法で形成することが可能となる。
【００１８】
また、上述の如く蚊取口（６）を多数形成すれば、蚊取室（５）内に充満した蚊の誘引物質を上記多数の蚊取口（６）から効率よく外部に排出することが可能となるため、蚊の捕獲効果を高めることが可能となる。また、多数の形成によって内部室（１）と外気との通気性を高めることが可能となるため、内部室（１）内の吸血対象生物（２）が酸欠状態になるのを防止することもできる。
【００１９】
そして、上述の如く構成したものに於いて、内部室（１）内に吸血対象生物（２）を収容すると、この吸血対象生物（２）が発生する誘引物質が、通気手段（４）及び蚊取室（５）の蚊取口（６）を介して外部に流出し、蚊が蚊取口（６）から蚊取室（５）内へと誘引される。そして、上述の如く蚊取口（６）は、蚊の外部への復帰を不能又は困難としているため、一度蚊取口（６）から蚊取室（５）内へと侵入した蚊は、外部に戻ることなく蚊取室（５）内に確実に捕獲されるものとなる。
【００２０】
本発明の蚊の捕獲装置はこのように、内部室（１）内の吸血対象生物が発する臭い、ＣＯ２、赤外線等の誘引物質により蚊を誘引するものであり、誘引物質を発生させる装置を別個に設ける必要がない。そのため、装置の構造を簡易なものとして、廉価な製品を得ることが可能となる。また、誘引手段の定期的な取り替えも不要であるため、ランニングコストを低くすることができる。また、誘引物質を発生させるために電源等の動力源を必要としないから、場所を選ばず使用することが可能となる。
【００２１】
また、前述の如く蚊取室（５）と内部室（１）とを蚊の通過を困難とする通気手段（４）を介して接続しているため、内部室（１）内の人、動物等の吸血対象生物（２）が蚊に刺されるおそれがなく、装置の衛生的な使用が可能となる。このように、本願発明の蚊の捕獲装置を用いれば、内部室（１）内の吸血対象生物（２）が蚊に刺されるのを防止しつつ、ランニングコストを低くし、蚊を半永久的に捕獲することが可能となり、蚊の捕獲装置の効率的な使用が可能となる。また、本実施例の如くペットや家畜等の飼育動物を装置内で飼育しながら、蚊を捕獲することも可能となる。
【００２２】
また、蚊の中で吸血対象生物（２）の血を吸うのは雌の蚊のみであることが知られており、本発明の捕獲装置に於いて、吸血対象生物（２）が発生する誘引物質に誘引されて捕獲されるのは、雌の蚊のみである。そのため、薬剤散布の場合の如く雄雌に関係なく蚊を駆除してしまい、トンボ等の餌を奪って食物連鎖の遮断を生じるおそれがない。また、蚊だけを薬剤、電流等を用いることなく安全に捕獲できるため、小鳥等の小動物を誤って捕獲、殺傷するおそれもない。
【実施例２】
【００２３】
また、前記実施例１に於いては、家畜を吸血対象生物（２）としており、内部室（１）として家畜用の小屋を用いているが、本実施例２に於ては、図３に示す如く、人間を吸血対象生物（２）としており、内部室（１）として、人間用の住居を用いている。
【００２４】
以下更に詳細に説明すると、内部室（１）である人間用の住居の窓枠（１１）部分に蚊の侵入を防止し得る網戸にて形成した通気手段（４）を設けている。また、上記通気手段（４）の内側には、図４に示す如くサッシ窓等の遮閉体（１０）を設けて、蚊取室（５）と内部室（１）の連通を遮断可能としている。このように遮閉体（１０）を設けることにより、遮閉体（１０）を閉じて風雨の侵入を防止したり、遮閉体（１０）を適宜開閉して内部室（１）内の温度調節をしたりすることが可能となり、蚊の捕獲装置をより使い勝手の良いものとすることが可能となる。また、遮閉体（１０）は通気手段（４）の外側に設けても良いし、通気手段（４）の両面に設けるものであっても良い。
【００２５】
また、本実施例に於いては図３に示す如く、内部室（１）の前後の両面に設けた一対の窓枠（１１）にそれぞれ、通気手段（４）を介して蚊取室（５）を設けている。このように蚊取室（５）を複数個形成することにより、蚊の捕獲効果を更に高めることが可能となる。
【図面の簡単な説明】
【００２６】
【図１】実施例１の蚊の捕獲装置の一部切り欠き斜視図。
【図２】図１のＡ−Ａ線の、通気手段及び蚊取室部分を示す拡大断面図。
【図３】実施例２の蚊の捕獲装置の一部切り欠き斜視図。
【図４】図３のＢ−Ｂ線の、通気手段及び蚊取室部分を示す拡大断面図。
【符号の説明】
【００２７】
１  内部室 
２  吸血対象生物 
４  通気手段 
５  蚊取室 
６  蚊取口 
１０  遮閉体
【図１】
2009183242.tif 000003
【図２】
2009183242.tif 000004
【図３】
2009183242.tif 000005
【図４】
2009183242.tif 000006